(57)【要約】【課題】編集装置の画面上でラベルイメージを作成して選択するだけで、そのラベルイメージのラベル幅に合致するテープカセットを指定してラベルの作成を行うことができるラベル印字システムを提供することを目的とする。【解決手段】ラベル印字システム１は、編集装置２及び相互に異なるテープ幅のテープを内蔵するテープカセットが複数種類配設された印字装置３を備え、編集装置２の表示装置１１における表示画面１１Ａにおいて、選択されたラベルイメージがある場合、この印字データが印字装置３に対し送信され、編集装置２のＣＰＵにより選択されたラベルイメージの印字幅と合致するテープ幅を有するテープカセット５７乃至５９を指定し、そのカセット５７乃至５９が配置されるカセット配置部５１乃至５３にて、文字等の印字や切断が行われることにより、ラベル３８が作成される。【選択図】図４
2009190313.tif 000002
【特許請求の範囲】
【請求項１】
ラベルの印字データを作成する編集装置と、
前記編集装置にて作成された印字データに基づき、テープカセットに収納されたテープに印字する印字装置とを備えるラベル印字システムにおいて、
前記編集装置は、
表示手段と、
文字、記号、イラスト等を含むラベルイメージを前記表示手段に表示させ、前記入力手段を介してラベルのサイズ情報を含むラベルの印字データを作成する印字データ作成手段とを備え、
前記印字装置は、
テープ幅が異なるテープがそれぞれ収納された複数のテープカセットを個別に配置する複数のカセット配置部と、
前記各カセット配置部に設けられ、各テープカセットの有無を検出するカセット有無検出手段と、
前記各カセット配置部にてカセット有無検出手段により検出されたテープカセットに収納されているテープのテープ幅を検出するテープ幅検出手段と、
前記各カセット配置部に設けられ、テープカセットに収納されたテープに前記印字データを印字する印字ヘッドと、
前記カセット有無検出手段によりテープカセットが存在することが検出されたカセット配置部の内、前記ラベルのサイズ情報に包含されるラベル幅データに基づいて、テープ検出手段を介して検出されたテープのテープ幅とラベル幅データとが一致するカセット配置部を指定する指定手段と、
前記指定手段を介して指定されたカセット配置部に配置されたテープカセットに収納されたテープに、前記印字データ作成手段により作成された印字データを印字するように前記印字ヘッドの印字制御を行う印字制御手段とを備えることを特徴とするラベル印字システム。
【請求項２】
前記印字データ作成手段は、前記表示手段に複数のラベルイメージを表示させつつ、各ラベルイメージに対応して前記入力手段によってラベルのサイズ情報を含む複数ラベルの印字データを作成することを特徴とする請求項１に記載のラベル印字システム。
【請求項３】
前記表示手段に表示される複数のラベルイメージを選択する選択手段を備え、
前記選択手段を介して複数のラベルイメージが選択された場合、前記印字制御手段は、各ラベルイメージに対応するラベルのサイズ情報に包含されるラベル幅データに基づき、ラベル幅データの大きい順に従って印字データが印字されるように前記印字ヘッドを制御することを特徴とする請求項２に記載のラベル印字システム。
【請求項４】
前記ラベルのサイズ情報には、ラベル幅データに加えてラベル長さデータが包含され、
前記選択手段を介して複数のラベルイメージが選択され、その選択された複数のラベルイメージに対応するラベルのサイズ情報の内に同一のラベル幅データが２以上存在する場合には、前記印字制御手段は、各ラベルイメージに対応するラベルのサイズ情報に包含されるラベル長さデータに基づき、ラベル長さデータの大きい順に従って印字データが印字されるように前記印字ヘッドを制御することを特徴とする請求項３に記載のラベル印字システム。
【請求項５】
前記各カセット配置部に設けられ、前記印字ヘッドを介して印字が行われたテープを切断する切断手段と、
前記印字装置本体に形成され、前記各カセット配置部における切断手段を介して切断されて作成されたラベルを印字装置本体の外部に排出する排出口と、
前記排出口の下方に設けられ、排出口から排出されるラベルを積層しつつ集積するラベル集積部とを備え、
前記各ラベルは、ラベル幅の大きい順に従って前記ラベル集積部に集積されていくことを特徴とする請求項３に記載のラベル印字システム。
【発明の詳細な説明】
【技術分野】
【０００１】
本発明は、ラベル印字システムに関するものである。
【背景技術】
【０００２】
従来より、例えば、特許文献１に記載されたテープ印字装置におけるように、テープを内蔵するテープカセットを装置本体に装着し、テープカセットからテープを引き出しつつサーマルヘッドによりテープに文字等の印字を行って文字付きテープからなるラベルを作成する各種のテープ印字装置が知られている。
【特許文献１】特開２００５−５３０９３号公報
【発明の開示】
【発明が解決しようとする課題】
【０００３】
ここに、前記した従来のテープ印字装置では、テープ幅が異なるテープが収納された複数種類のテープカセットを選択的に装着することが可能に構成されており、印字データ編集画面上で各種のテープ幅に対応する印字データを作成してテープカセットに収納されたテープに文字等を印字することにより各種テープ幅を有する文字付テープからなるラベルを作成することができる。
しかしながら、前記従来のテープ印字装置では、複数種類のテープカセットを選択的に装着することが可能に構成されているものの、１種類のテープカセットしか装着することができない。
従って、前記従来のテープ印字装置により所望のテープ幅を有するテープで文字付テープからなるラベルを作成するには、印字データ編集画面上で印字データを作成する毎に、その印字データに係るテープ幅に合致するテープ幅のテープが収納されたテープカセットを選択してテープ印字装置に装着しなければならない。
このように、前記テープ印字装置を使用して各種テープ幅を有するテープで文字付テープからなるラベルを作成するには、テープ幅の種類に応じてテープカセットの交換を頻繁に行う必要があり、かかる作業は非常に煩雑なものである。
【０００４】
本発明は前記従来における問題点を解消するためになされたものであり、編集装置の画面上でラベルイメージを表示させつつラベルの印字データを作成してその印字データの印字指示を行うだけの簡単な操作により、印字データに含まれるラベル幅データに合致するテープ幅を有するテープからラベルを印字することができるラベル印字システムを提供することを目的とする。
【課題を解決するための手段】
【０００５】
前記目的を達成するため、請求項１に係るラベル印字システムは、ラベルの印字データを作成する編集装置と、前記編集装置にて作成された印字データに基づき、テープカセットに収納されたテープに印字する印字装置とを備えるラベル作成システムにおいて、前記編集装置は、表示手段と、文字、記号、イラスト等を含むラベルイメージを前記表示手段に表示させ、前記入力手段を介してラベルのサイズ情報を含むラベルの印字データを作成する印字データ作成手段とを備え、前記印字装置は、テープ幅が異なるテープがそれぞれ収納された複数のテープカセットを個別に配置する複数のカセット配置部と、前記各カセット配置部に設けられ、各テープカセットの有無を検出するカセット有無検出手段と、前記各カセット配置部にてカセット有無検出手段により検出されたテープカセットに収納されているテープのテープ幅を検出するテープ幅検出手段と、前記各カセット配置部に設けられ、テープカセットに収納されたテープに前記印字データを印字する印字ヘッドと、前記カセット有無検出手段によりテープカセットが存在することが検出されたカセット配置部の内、前記ラベルのサイズ情報に包含されるラベル幅データに基づいて、テープ検出手段を介して検出されたテープのテープ幅とラベル幅データとが一致するカセット配置部を指定する指定手段と、前記指定手段を介して指定されたカセット配置部に配置されたテープカセットに収納されたテープに、前記印字データ作成手段により作成された印字データを印字するように前記印字ヘッドの印字制御を行う印字制御手段とを備えることを特徴とする。
【０００６】
また、請求項２に係るラベル印字システムは、請求項１に係るラベル印字システムにおいて、前記印字データ作成手段は、前記表示手段に複数のラベルイメージを表示させつつ、各ラベルイメージに対応して前記入力手段によってラベルのサイズ情報を含む複数ラベルの印字データを作成することを特徴とする。
【０００７】
また、請求項３に係るラベル印字システムは、請求項２のラベル印字システムにおいて、前記表示手段に表示される複数のラベルイメージを選択する選択手段を備え、前記選択手段を介して複数のラベルイメージが選択された場合、前記印字制御手段は、各ラベルイメージに対応するラベルのサイズ情報に包含されるラベル幅データに基づき、ラベル幅データの大きい順に従って印字データが印字されるように前記印字ヘッドを制御することを特徴とする。
【０００８】
また、請求項４に係るラベル印字システムは、請求項３のラベル印字システムにおいて、前記ラベルのサイズ情報には、ラベル幅データに加えてラベル長さデータが包含され、前記選択手段を介して複数のラベルイメージが選択され、その選択された複数のラベルイメージに対応するラベルのサイズ情報の内に同一のラベル幅データが２以上存在する場合には、前記印字制御手段は、各ラベルイメージに対応するラベルのサイズ情報に包含されるラベル長さデータに基づき、ラベル長さデータの大きい順に従って印字データが印字されるように前記印字ヘッドを制御することを特徴とする。
【０００９】
また、請求項５に係るラベル印字システムは、請求項３のラベル印字システムにおいて、前記各カセット配置部に設けられ、前記印字ヘッドを介して印字が行われたテープを切断する切断手段と、前記印字装置本体に形成され、前記各カセット配置部における切断手段を介して切断されて作成されたラベルを印字装置本体の外部に排出する排出口と、前記排出口の下方に設けられ、排出口から排出されるラベルを積層しつつ集積するラベル集積部とを備え、前記各ラベルは、ラベル幅の大きい順に従って前記ラベル集積部に集積されていくことを特徴とする。
【発明の効果】
【００１０】
請求項１に係るラベル印字システムでは、編集装置と、それぞれ異なるテープ幅のテープを内蔵するテープカセットが複数種類配設された印字装置とを備えたラベル印字システムにおいて、編集装置の画面上で作成したラベルイメージの印字指令を行うだけで、そのラベルイメージと一致するテープ幅のテープカセットを自動的に指定するとともに、そのテープにラベルイメージを印字して、ラベルを印字作成することができる。これにより、編集装置の画面上で自由にラベルイメージを作成して印字指令を行うだけで、そのラベルイメージのラベル幅に合致するテープカセットを自動的に指定してラベルの作成を行うことができる。
【００１１】
また、請求項２に係るラベル印字システムでは、印字データ作成手段を介して、表示手段に複数のラベルイメージを表示させつつ、各ラベルイメージに対応して入力手段によってラベルのサイズ情報を含む複数ラベルの印字データが作成される。これにより、表示手段における同一画面上で複数ラベルの印字データを一度に作成することが可能となる。
【００１２】
更に、請求項３に係るラベル印字システムでは、選択手段を介して表示手段に表示される複数のラベルイメージが選択された場合、印字制御手段は、各ラベルイメージに対応するラベルのサイズ情報に包含されるラベル幅データに基づき、ラベル幅データの大きい順に従って印字データが印字されるように印字ヘッドを制御するので、ラベル幅の大きいラベルからラベル幅の小さいラベルの順に作成されて印字装置の外部に排出されることとなる。
このとき、相互に異なるラベル幅を有する複数のラベルが積層状態で排出された場合においても、下側のラベルの印字内容が上側のラベルによって完全に覆われてしまうことが防止され、従って、各ラベルの印字内容を独立して容易に判別することができる。
【００１３】
また、請求項４に係るラベル印字システムでは、選択手段を介して複数のラベルイメージが選択され、その選択された複数のラベルイメージに対応するラベルのサイズ情報の内に同一のラベル幅データが２以上存在する場合には、印字制御手段は、各ラベルイメージに対応するラベルのサイズ情報に包含されるラベル長さデータに基づき、ラベル長さデータの大きい順に従って印字データが印字されるように印字ヘッドを制御するので、同一ラベル幅を有する２以上のラベルについては、ラベル長さの大きいラベルからラベル長さの小さいラベルの順に作成されて印字装置の外部に排出されることとなる。
このとき、同一ラベル幅を有する２以上のラベルが積層状態で排出された場合においても、下側のラベルの印字内容が上側のラベルによって完全に覆われてしまうことが防止され、従って、各ラベルの印字内容を独立して容易に判別することができる。
【００１４】
更に、請求項５に係るラベル印字システムでは、各カセット配置部における切断手段を介して切断されて作成されたラベルは、排出口から印字装置本体の外部に排出されるとともとに、ラベル幅の大きい順に従って排出口の下方に設けられたラベル集積部に集積されていくので、ラベル集積部にて相互に異なるラベル幅を有する複数のラベルが積層状態で排出されることとなる。
このとき、相互に異なるラベル幅を有する複数のラベルが、ラベル集積部にて積層状態で排出された場合においても、下側のラベルの印字内容が上側のラベルによって完全に覆われてしまうことが防止され、従って、各ラベルの印字内容を独立して容易に判別することができる。
【発明を実施するための最良の形態】
【００１５】
以下、本発明に係るラベル印字システムについて、本発明を具体化した実施形態に基づき図面を参照しつつ詳細に説明する。
【００１６】
先ず、図１に基づいて本実施形態に係るラベル印字システムの概略構成を説明する。図１は、本実施形態に係るラベル印字システムの概略外観斜視図である。
図１に示すように、本実施形態に係るラベル印字システム１は、パーソナルコンピュータ等から構成される編集装置２と、編集装置２と信号ケーブルＫを介して接続される印字装置３とから構成される。
【００１７】
また、編集装置２は、主に表示画面１１Ａを有する表示装置（例えば、ＣＲＴ、ＬＣＤ、プラズマディスプレイ等）１１、キーボード１２及びマウス２５から構成される。また、編集装置２は不図示のＣＰＵ、ＲＯＭ、ＲＡＭを備える。
ここに、編集装置２の基本構成や回路構成はすでに周知であるため、ここでは、詳細な説明を省略する。
【００１８】
印字装置３は、正面視長方形の筐体１０を有し、筐体１０の前面には、後述するラベル３８を排出するための排出口１３が形成されている。また、テープ排出口１３の上方には、ＬＥＤ４と電源ボタン５が設けられている。
印字装置３の内部には、後述するように、それぞれテープ幅の異なるテープを収納した複数のテープカセットを独立して配置するカセット配置部が設けられている。図１において、筐体１０の右側部（図１の右側）には、カセット配置部を覆うカバー６が取り付けられている。このカバー６は、印字装置３の後部（図１における背面側）に取り付けられたヒンジ（図示せず）を介して開閉可能に構成されている。
また、この印字装置３自体には、編集用のキーが存在しておらず、編集装置２からのコマンドを受信し、それに応じてカセット配置部に配置されているテープカセットの種類を編集装置２に通知したり、編集装置２にて作成編集された印字データを各種テープ上に印字したりするように構成されている。
更に、筐体１０の前面に形成されたテープ排出口１３の下方には、筐体１０の前面から手前側に向かって延設されたラベル集積部６０が設けられている。かかるラベル集積部６０には、後述するように、印字装置３にて印字データが印字されるとともにカッタユニットを介して切断されて作成された後排出口１３から排出されたラベルが、順次積層されつつ集積される。
【００１９】
次に、図２乃至図４に基づいて、本実施形態に係る印字装置３の内部構成について説明する。図２はテープカセットの内部構成を模式的に示す平面図、図３は印字装置における一つのカセット配置部にテープカセットを装着した状態を示す要部拡大平面図、及び、図４は印字装置においてカセット配置部が複数設けられた状態を示す概略構成図である。
【００２０】
先ず、テープカセットの構成について、図２に基づき説明する。尚、テープカセットとしては、６ｍｍ、９ｍｍ、１２ｍｍ、１８ｍｍ、２４ｍｍ及び３６ｍｍの６種類の異なるテープ幅を有するテープが収納された６種類のテープカセットが存在し、後に説明するよう印字装置３では３種類のテープカセットが使用されるが、いずれのテープカセットも、その内部に収納されるテープのテープ幅のみが異なるだけで、基本構成は同一である。従って、以下においては、１つのテープカセット５７を例に挙げて説明することとする。
【００２１】
図２において、テープカセット５７は上ケース５７Ａ（図３参照）及び下ケース５７Ｂを有し、下ケース５７Ｂにおける中央部より若干上方位置に、フィルムテープ１７を巻回したテープスプール１８が配置されている。テープスプール１８から引き出されたフィルムテープ１７は、テープ案内コロ６１を介して方向転換された後、アーム部６２から後述のヘッド挿通開口４０まで送られる。
図２にてテープスプール１８の右下位置には、インクリボン１９を巻回したリボンスプール２０が配置されており、また、テープスプール１８の左下側には、リボンスプール２０からインクリボン１９をアーム部６２からヘッド挿通開口４０まで引き出し、文字等の印字にて消費されたインクリボン１９を巻き取るリボン巻取スプール２１が配置されている。更に、テープスプール１８の左側には、片面に剥離紙が貼り付けされた両面粘着テープである粘着テープ３１を巻回した粘着テープスプール３０が配置されている。
【００２２】
また、テープカセット５７には、図２に示すように、上ケース５７Ａ及び下ケース５７Ｂを貫通するようにヘッド挿通開口４０が形成されている。かかるヘッド挿通開口４０には、テープカセット５７をカセット配置部５１に収納した際に、後述するサーマルヘッド７（図３、図４参照）が挿通される。
【００２３】
ヘッド挿通開口４０に挿通されるサーマルヘッド７の下流側（図３中左側）には、分離部材５０が形成されている。かかる分離部材５０は、後述するように、サーマルヘッド７による文字等の印字時に、プラテンローラ８とサーマルヘッド７とに挟まれてフィルムテープ１７に圧接されたインクリボン１９の送り方向の転換を行うとともに、インクリボン１９をフィルムテープ１７から分離する作用を行うものである。
【００２４】
また、分離部材５０の下流側には、テープ送りローラ１６が回転可能に支持されている。かかるテープ送りローラ１６は、後述するように、テープカセット５７がテープ配置部５１に配置されるとともに、プラテンホルダ４６がサーマルヘッド７に向かって回動された際に、プラテンホルダ４６に回動可能に支持されたテープ駆動ローラ１５（図３を参照）に圧接され、文字等の印字が行われたフィルムテープ１７の文字印字面と粘着テープ３１の粘着剤面とを圧着しつつフィルムテープ１７と粘着テープ３１とをテープカセット５１の外部に搬送する作用を行う。
【００２５】
また、テープカセット５７の図２における右上位置には、カセット検出部２４が形成されている。このカセット検出部２４には、テープカセット５７に収納されたフィルムテープ１７の種類（例えば、各フィルムテープ１７の幅等によりテープカセット５７の種類が特定される）を検出するため、所定のパターンをもって複数個のスイッチ孔２４Ａが穿設されている。スイッチ孔２４Ａの形成パターンは、テープカセット５７に収納されるフィルムテープのテープ幅の種類に従って異なるパターンとされており、スイッチ孔２４Ａは、印字装置３側に配設された複数個の検出スイッチ（図示せず）のオン・オフの組合せに基づいて検出されるものである。
【００２６】
続いて、テープカセット５７が配置されるカセット配置部の構成について図３に基づき説明する。尚、本実施形態の印字装置３では、図４に示すように、３つのカセット配置部５１、５２、５３が設けられているが、各カセット配置部５１、５２、５３はいずれも同一の構成を有している。従って、以下においては、１つのカセット配置部５１を例に挙げて説明することとする。
【００２７】
図３において、印字装置３に設けられたカセット配置部５１にはテープカセット５７が着脱自在に装着され、かかるカセット配置部５１には、サーマルヘッド７が固設されている。かかるサーマルヘッド７は矢視Ａにおける正面視略縦長四角形の平板状である。矢視Ａにおける左端縁部には、所定個数の各発熱素子が、該左端縁部の辺に沿って一列に配列されて形成されている。
【００２８】
また、カセット配置部５１には、プラテンホルダ４６がホルダ軸４７の回りに回動可能に支持されており、かかるプラテンホルダ４６にはプラテンローラ８及びテープ駆動ローラ１５が回転可能に支持されている。プラテンホルダ４６は、図示しない弾性部材によりホルダ軸４７の回りに反時計方向に付勢されており、テープカセット５７をカセット配置部５１に配置してフィルムテープ１７へ文字等の印字を行う際には、モータ等により時計方向に駆動され、これによりプラテンローラ８はサーマルヘッド７に対して接離可能にされ、また、テープ駆動ローラ１５はテープ送りローラ１６に対して接離可能にされている。
【００２９】
また、カセット配置部５１には、テープカセット５７のリボン巻取スプール２１に連結されるリボン巻取軸９が配設されている。かかるリボン巻取軸９は、モータ等の駆動機構に連結されており、前記のように分離部材５０を介して分離されたインクリボン１９を巻き取るべくリボン巻取スプールの回転駆動を行うものである。
【００３０】
更に、カセット配置部５１には、テープカセット５７のテープ排出口８０に隣接して、はさみ式のカッタユニット１４が配設されており、このカッタユニット１４は、固定刃１４Ｂと、固定刃１４Ｂ（模式的に図４に示す）に対して作動して印字済みフィルムテープ１７を切断する可動刃１４Ａ（模式的に図４に示す）とから構成されている。
【００３１】
前記した構成において、テープカセット５７を印字装置３のテープ配置部５１に配置し、文字付テープからなるラベルが作成される際には、プラテンホルダ４６がホルダ軸４７の回りに時計方向に駆動される。これにより、プラテンローラ８はフィルムテープ１７とインクリボン１９を介してサーマルヘッド７の発熱素子に当接される。
このとき、テープスプール１８から引き出されたフィルムテープ１７とインクリボンスプール２０から引き出されたインクリボン１９とは、ヘッド挿通開口４０においてサーマルヘッド７とプラテンローラ８との間で重ね合わされており、この状態でサーマルヘッド７の発熱素子群が発熱駆動される。これにより、フィルムテープ１７には、インクリボン１９を介して文字等の印字が行われる。この後、インクリボン１９は、リボン巻取スプール２１を介してサーマルヘッド７の下流側に送り出され、分離部材５０を介してフィルムテープ１７から分離された後、リボン巻取スプール２１により巻き取られる。
【００３２】
一方、印字済みフィルムテープ１７と粘着テープスプール３０から引き出された粘着テープ３１が、駆動ローラ１５とテープ送りローラ１６の間で貼り合わされ、文字付テープが作成される。このように作成された文字付テープは、駆動ローラ１５とテープ送りローラ１６の協働により、テープ排出口８０からテープカセット５７の外部に排出される。
【００３３】
そして、文字付テープが所望の長さになった時点で、カッタユニット１４が駆動され、これにより文字付テープは、カッタユニット１４の固定刃14Ｂと可動刃１４Ａとの協働により、所望の長さで切断されて所望のラベル３８が作成される。
【００３４】
次に、図４に基づいて、印字装置における複数のカセット配置部の概略構成について説明する。
【００３５】
図４に示すように、本実施形態の印字装置３では、それぞれ異なるテープ幅のフィルムテープ１７が収納されたテープカセット５７（９ｍｍ幅のフィルムテープ１７が収納されている）、テープカセット５８（３６ｍｍ幅のフィルムテープ１７が収納されている）、テープカセット５９（１２ｍｍ幅のフィルムテープ１７が収納されている）が、それぞれカセット配置部５１、５２、５３に脱着可能に構成されている。
【００３６】
また、図４に示すように、最も上方に配置されたカセット配置部５１のカッタユニット１４に隣接してラベル排出路５４が設けられており、かかるラベル排出路５４は、斜め下方に向かってラベル集積部６０まで連続して形成されている。ラベル排出路５４には、カッタユニット１４に隣接する上方から順にそれぞれ一対の排出ローラ６３、６４、６５、６６、６７が設けられている。
【００３７】
更に、中段位置に配置されたカセット配置部５２のカッタユニット１４に隣接してラベル排出路５５が設けられており、かかるラベル排出路５５はラベル排出路５４と合流される。ラベル排出路５５には、カッタユニット１４に隣接して一対の排出ローラ６８が設けられている。
【００３８】
また、下段位置に配置されたカセット配置部５３のカッタユニット１４に隣接してラベル排出路５６が設けられており、かかるラベル排出路５６はラベル排出路５４と合流される。ラベル排出路５６には、カッタユニット１４に隣接してそれぞれ一対の排出ローラ６９、７０が設けられている。
【００３９】
そして、カセット配置部５１にて、テープカセット５７のテープ排出口８０から排出された文字付テープをカッタユニット１４を介して切断することにより作成されたラベル３８は、排出ローラ６３を介してラベル排出路５４に排出された後、各排出ローラ６４〜６７を介してラベル排出路５４からラベル集積部６０上に排出される。
また、カセット配置部５２にて、テープカセット５８のテープ排出口８０から排出された文字付テープをカッタユニット１４を介して切断することにより作成されたラベル３８は、排出ローラ６８を介してラベル排出路５５に排出された後ラベル排出路５４に案内され、各排出ローラ６６、６７を介してラベル排出路５４からラベル集積部６０上に排出される。
更に、カセット配置部５３にて、テープカセット５９のテープ排出口８０から排出された文字付テープをカッタユニット１４を介して切断することにより作成されたラベル３８は、各排出ローラ６９、７０を介してラベル排出路５６に排出された後ラベル排出路５４に案内され、ラベル集積部６０上に排出される。
【００４０】
次に、編集装置２において、表示装置１１の表示画面１１Ａに表示されるエディタ表示画面１１Ｂについて説明する。図５はコンピュータ装置のエディタ表示画面を示すイメージ図である。
【００４１】
図５に示すようなエディタ表示画面１１Ｂは、本発明に係るテキストデータ作成・編集処理プログラムを実行する時に中心的に表示される画面である。
【００４２】
図５に示すように、エディタ表示画面１１Ｂの最上部には、「［レイアウト１］」との記載のあるタイトルバーが表示される。そのタイトルバーの右端には、小さいボタンが横並びに３つ存在する。左から、最小化ボタン、最大化ボタン、終了ボタンである。終了ボタンをクリックするとエディタ表示画面１１Ｂは閉じる。
【００４３】
エディタ表示画面１１Ｂのタイトルバーの下には、メニューバーがあり、左からファイル（Ｆ）メニュー、編集（Ｅ）メニュー、表示（Ｖ）メニュー、挿入（Ｉ）メニュー、書式（Ｏ）メニュー、ツール（Ｔ）メニュー、レイアウト（Ｌ）メニュー、ウィンドウ（Ｗ）メニュー、ヘルプ（Ｈ）メニューがある。
【００４４】
エディタ表示画面１１Ｂの左から右下隅にかけてラベル作成領域１１Ｃが表示される。図５に示しているラベル作成領域１１Ｃには、複数のラベルイメージ１１Ｐ、１１Ｑ、１１Ｒ、１１Ｓ、１１Ｔが作成されて表示されている。ラベル作成領域１１Ｃ内でラベルイメージを移動させる等の作業を行うマウスカーソル１１Ｕが表示されている。
【００４５】
また、図５に示すように、ラベルイメージ１１Ｐがマウスカーソル１１Ｕによって選択されると、破線のラベル枠１１Ｚで囲まれるようになる。破線のラベル枠１１Ｚで囲まれているラベルイメージ１１Ｐは、選択状態にあることを示している。
ラベルイメージ１１Ｑのようにマウスカーソル１１Ｕによって選択されていないと、ラベルイメージ１１Ｑの実線のラベル枠１１Ｚにて囲まれる。その実線のラベル枠１１Ｚで囲まれているラベルイメージ１１Ｑは、選択されていないことを示している。尚、ラベル枠１１Ｚは印字範囲を示しており、ラベルのサイズ情報を含んでいる。
【００４６】
編集装置２のマウス２５をクリックすると、マウスカーソル１１Ｕによって、ラベル枠１１Ｚを選択することができる。また、編集装置２のキーボード１２におけるＣＴＲＬキーとマウス２５を併用してクリックすることで、複数のラベル枠１１Ｚを同時に選択状態とすることができる。
【００４７】
図５に示すように、ラベル作成領域１１Ｃには、ラベルイメージ１１Ｐの中には「ＡＢＣ」との文字が表示されている。ラベルイメージ１１Ｐの右側に、四角にて示されるラベルイメージ１１Ｓと１１Ｔがある。ラベルイメージ１１Ｓの中には、「ＡＢＣＤＥＦＧＨＩＪＫＬＭＮＯＰＱＲＳＴＵ」との文字が表示されている。ラベルイメージ１１Ｔの中には、「○△□☆♪○△□☆♪」との記号が表示されている。
【００４８】
また、ラベル作成領域１１Ｃでは、ラベルイメージ１１Ｐと１１Ｔの下部には、異なるテキスト幅を有する四角形状のラベルイメージ１１Ｒと１１Ｑがそれぞれ表示されている。ラベルイメージ１１Ｒの中には、「ＡＢＣＤＥＦ」との文字が２行で表示されている。一方、ラベルイメージ１１Ｑの中には、「Ｉ  ＬＯＶＥ  ＹＯＵ」の文字が表示されている。
ラベルイメージ１１Ｐ、１１Ｑ、１１Ｒ、１１Ｓ、１１Ｔの縦方向の印字幅（テープ幅）は、それぞれ３６ｍｍ、１８ｍｍ、２４ｍｍ、１２ｍｍ、９ｍｍである。
【００４９】
また、エディタ表示画面１１Ｂの上側中央にはテープ幅指定ボックス１１Ｆが表示されている。テープ幅指定ボックス１１Ｆは、ラベル作成領域１１Ｃにおいて選択状態にあるラベルイメージに対応しており、このラベルイメージの印字幅に対応するテープ幅サイズが示される。また、テープ幅指定ボックス１１Ｆにより、ラベル作成領域１１Ｃに設定されたラベルイメージの印字幅に対応するテープの幅サイズを変更できる。
【００５０】
尚、ラベル作成領域１１Ｃにおいて、ラベルイメージが選択されていない場合は、テープ幅指定ボックス１１Ｆには、何も表示されない。また、図５に示すように、２つ以上のラベルイメージが同時に選択されている時も、テープ幅指定ボックス１１Ｆには、何も表示されない。
【００５１】
テープ幅指定ボックス１１Ｆの上には、テープ長さ指定ボックス１１Ｇがある。テープ長さ指定ボックス１１Ｇは、ラベル作成領域１１Ｃにおいて選択状態にあるラベルイメージの印字長さに対応しており、このラベルイメージの印字長さに対応するテープ長さを示している。
【００５２】
テープ長さ指定ボックス１１Ｇにより、ラベル作成領域１１Ｃに設定されたラベルイメージ印字長さに対応するテープの長さを変更できる。尚、ラベル作成領域１１Ｃにおいて、ラベルイメージが選択されていない場合、テープ長さ指定ボックス１１Ｇには、何も表示されない。また、図５に示すように、２つ以上のラベルイメージが同時に選択されている時も、テープ長さ指定ボックス１１Ｇには、何も表示されない。
【００５３】
また、テープ幅指定ボックス１１Ｆの右方向の並びには、ラベル作成作業領域１１Ｃに対して、ラベルイメージが配置されている向きに従って、テープの配置方向を変更するテープ横置きボタン１１Ｖ、テープ縦置きボタン１１Ｙがある。これら２つのボタンはラベルイメージが１つだけ選択された状態においていずれか一方のみが選択状態にあり、ラベルイメージの向きに連動している。
【００５４】
エディタ表示画面１１Ｂに表示されているテープ幅指定ボックス１１Ｆの左側には、ラベルイメージをテープに印字するための印字指示が出される印字ボタン１１Ｌと全印字ボタン１１Ｋが表示されている。一つまたは複数のラベルイメージを選択的に印字する場合、印字ボタン１１Ｌを選択する。エディタ表示画面１１Ｂに表示されているラベルイメージが複数ある際、全印字ボタン１１Ｋを選択すると、全てのラベルイメージが選択されて印字される。
【００５５】
その際、マウスカーソル１１Ｕによってラベルイメージを選択しなくても、強制的にエディタ表示画面１１Ｂに表示されている全てのラベルイメージが選択されて印字される。
【００５６】
次に、本実施形態において、複数のラベルイメージが選択される場合の印字順について説明する。図６は、本実施形態における複数のラベルイメージが選択される際の印字順を示す説明図である。
【００５７】
エディタ表示画面１１Ｂに表示されているラベルイメージが複数選択される際、これらのラベルイメージの印字幅に対応するテープの幅サイズに応じて、印字順が決められている。本実施形態では、図６に示すように、印字順は、テープの幅サイズの大きい順で設定されている。すなわち、複数のラベルイメージが選択される場合、ラベルイメージの印字幅に対応する幅サイズの大きいテープから先に印字されることになる。
【００５８】
また、本実施形態の印字装置は、図４に示すように、３種類のテープ幅を有するテープが収納されるテープカセット５７、５８、５９を備えている。テープカセット５７、５８、５９には、それぞれ９ｍｍ、３６ｍｍ、１２ｍｍの異なるテープ幅を有するフィルムテープが収納されている。
【００５９】
エディタ表示画面１１Ｂに表示されているラベルイメージが複数選択される際、ラベルイメージの印字幅と一致するテープ幅があれば、印字順はテープ幅サイズの大きい順に設定されている。本実施形態では、図６に示すように、テープ幅３６ｍｍ、１２ｍｍ、９ｍｍの順で印字され、そして排出される。
【００６０】
また、選択されたラベルイメージの印字幅と一致するテープ幅がなければ、「印字できない」とのメッセージが表示装置１１の表示画面１１Ａに表示され、使用者に知らせる。また、同一の印字幅を有するラベルイメージが複数あるとき、同一の印字幅を有するラベルイメージ間の印字順は、ラベルイメージの印字長さの長い順に設定される。
そして、編集装置２の不図示のＲＡＭには、編集データが記憶されている。編集データには、ラベルイメージの各種のデータが含まれる。その中には、ラベルイメージのサイズ、テキストデータ等がある。
【００６１】
次に、ラベル印字システム１を構成する編集装置２における処理について、図７乃至図１０を参照して説明する。図７は、編集装置２におけるメイン処理を示すフローチャートである。図８は、編集装置２におけるラベルイメージ追加処理のフローチャートである。図９は、編集装置２における選択印字処理のフローチャートである。図１０は、編集装置２における全ラベルイメージ印字処理のフローチャートである。尚、以下の処理は全て編集装置２のＣＰＵ（不図示）により実行される。
【００６２】
図７に示すように、ステップ（以下、Ｓと略記する）１において、編集装置２における不図示のＲＡＭの各領域が初期化される等の初期化処理が行われる。その後、Ｓ２に移行する。
【００６３】
Ｓ２では、編集画面の表示処理が行われる。ここでは、図５に示すようなエディタ表示画面１１Ｂを表示させる。その後、Ｓ３に移行する。
【００６４】
Ｓ３では、使用者からの入力が受け付けられる。その後、Ｓ４に移行する。
【００６５】
Ｓ４では、終了処理が行われるか否かが判断される。これには、エディタ表示画面１１Ｂの終了ボタンがクリックされたか否か、或いは、メニューバーのファイル（Ｆ）メニューの下位のメニューから終了メニューが選択されたか否か等が判断される。終了処理と判断された場合（Ｓ４：ＹＥＳ）は、エディタ表示画面１１Ｂを閉じ、メイン処理を終了する。終了処理と判断されなかった場合（Ｓ４：ＮＯ）は、Ｓ５に移行する。
【００６６】
Ｓ５では、ラベルイメージ追加処理が行われるか否かが判断される。図５に示すエディタ表示画面１１Ｂにおいて、メニューバーの挿入（Ｉ）メニューにおける「ラベルイメージ」というサブメニューがある。ここでは、「ラベルイメージ」というサブメニューが選択されたか否かによって判断される。「ラベルイメージ」というサブメニューが選択された際、すなわち、ラベルイメージ追加処理と判断された場合（Ｓ５：ＹＥＳ）はＳ６に移行し、図８のフローチャートに示すようなラベルイメージ追加処理が行われる。また、ラベルイメージ追加処理と判断されなかった場合（Ｓ５：ＮＯ）は、Ｓ７に移行する。
【００６７】
Ｓ７に移行すると、ラベルイメージ移動処理が行われるか否かが判断される。これには、エディタ表示画面１１Ｂのラベル作成作業領域１１Ｃに既に表示されるラベルイメージがマウス２５によってラベル作成作業領域１１Ｃの別の位置までドラッグされてドロップされたか否かが判断される。ラベルイメージ移動処理が行われたと判断された場合（Ｓ７：ＹＥＳ）はＳ８に移行し、ラベルイメージの移動処理が行われる。Ｓ８のラベルイメージ移動処理が行われた後、Ｓ３に移行して再びＳ３以降を繰り返す。
また、ラベルイメージ移動処理が行われなかったと判断された場合（Ｓ７：ＮＯ）は、Ｓ９に移行する。
【００６８】
Ｓ９では、ラベルイメージ選択処理が行われるか否かが判断される。これには、エディタ表示画面１１Ｂのラベル作成作業領域１１Ｃに既に表示されるラベルイメージがマウス２５によって選択されたか否かが判断される。ラベルイメージがマウス２５によって選択されたと判断された場合（Ｓ９：ＹＥＳ）はＳ１０に移行し、ラベルイメージの選択処理が行われる。Ｓ１０のラベルイメージ選択処理が行われた後、Ｓ３に移行して再びＳ３以降を繰り返す。
また、ラベルイメージがマウス２５によって選択されなかったと判断された場合（Ｓ９：ＮＯ）は、Ｓ１１に移行する。
【００６９】
Ｓ１１に移行すると、印字処理が行われるか否かが判断される。これには、エディタ表示画面１１Ｂにおいて、印字指示が出される印字ボタン１１Ｌが選択されたか否かが判断される。印字ボタン１１Ｌが選択されたと判断された場合（Ｓ１１：ＹＥＳ）はＳ１２に移行し、図９のフローチャートに示すような選択印字処理が行われる。また、印字ボタン１１Ｌが選択されなかったと判断された場合（Ｓ１１：ＮＯ）は、Ｓ１３に移行する。
【００７０】
Ｓ１３では、全印字処理が行われるか否かが判断される。これには、エディタ表示画面１１Ｂにおいて、全印字指示が出される全印字ボタン１１Ｋが選択されたか否かが判断される。全印字ボタン１１Ｋが選択されたと判断された場合（Ｓ１３：ＹＥＳ）はＳ１４に移行し、図１０のフローチャートに示すような全ラベルイメージ印字処理が行われる。また、全印字ボタン１１Ｋが選択されなかったと判断された場合（Ｓ１３：ＮＯ）は、Ｓ１５に移行する。
【００７１】
Ｓ１５に移行すると、データ編集処理が行われるか否かが判断される。これには、エディタ表示画面１１Ｂにおいて、ラベルの各種のデータ編集操作が行われたか否かが判断される。ラベルのデータ編集操作が行われたと判断された場合（Ｓ１５：ＹＥＳ）はＳ１６に移行し、データ編集処理が行われる。
また、ラベルのデータ編集操作が行われなかったと判断された場合（Ｓ１５：ＮＯ）は、Ｓ１７に移行する。一方、Ｓ１６のデータ編集処理が行われた後、Ｓ３に移行して再びＳ３以降を繰り返す。
【００７２】
Ｓ１７では、その他の処理が行われる。その後、Ｓ３に移行して再びＳ３以降の処理を繰り返す。
【００７３】
次に、上記Ｓ６のラベルイメージ追加処理について図８に基づき説明する。
【００７４】
上記Ｓ６のラベルイメージ追加処理では、まず、Ｓ２０において、ラベルイメージ追加画面表示が行われる。図５に示すエディタ表示画面１１Ｂにおいて、メニューバーの挿入（Ｉ）メニューにおける「ラベルイメージ」というサブメニューがある。「ラベルイメージ」を選択することより、ラベルイメージの印字サイズを選択させるラベルイメージ追加画面（不図示）が表示される。このラベルイメージ追加画面では、ラベルイメージの印字サイズの一覧表が表示され、使用者はこの一覧表から必要なラベルイメージを選択することができる。
【００７５】
次に、Ｓ２１では、使用者に選択させる処理が行われる。ここでは、使用者は、上記のラベルイメージ追加画面から所望のラベルイメージの印字サイズを選択する。その後、Ｓ２２に移行する。
【００７６】
Ｓ２２では、ラベルイメージの追加処理が行われる。ここでは、編集データにラベルイメージのデータを追加する。具体的には、エディタ表示画面１１Ｂの左上に新しい印字サイズのラベルイメージが現れる。Ｓ２２におけるラベルイメージの追加処理が行われた後、またメイン処理に戻る。
【００７７】
次に、上記Ｓ１２の選択印字処理について図９に基づき説明する。
【００７８】
上記Ｓ１２の選択印字処理では、図９に示すように、まず、Ｓ３０において、選択されたラベルイメージがあるか否かが判断される。選択されたラベルイメージがあると判断された場合（Ｓ３０：ＹＥＳ）はＳ３１に移行し、選択されたラベルイメージがないと判断された場合（Ｓ３０：ＮＯ）は、メイン処理に戻る。
【００７９】
Ｓ３０で選択されたラベルイメージがあると判断された（Ｓ３０：ＹＥＳ）後、Ｓ３１に移行すると、選択されたラベルイメージの印字幅の検出が行われる。具体的には、エディタ表示画面１１Ｂにおいて、選択されたラベルイメージの印字幅が編集装置２のＣＰＵによって不図示のＲＡＭに記憶された編集データの中から選択されたラベルイメージの印字幅が読み出される。その後、Ｓ３２に移行する。
【００８０】
また、Ｓ３２に移行すると、印字装置３におけるテープ幅の検出が行われる。具体的には、編集装置２と接続される印字装置３から印字装置３に装着されているテープカセットの種類を検出することにより、テープカセットに収納されているフィルムテープ１７の幅（テープ幅）を取得する。
【００８１】
Ｓ３２では、編集装置２は、印字装置３に対し、装着されたテープカセットのテープ幅を通知させる媒体種類要求コマンドをケーブルＫを介して送信する。当該媒体種類要求コマンドに応じ、印字装置３において、内蔵された複数のテープカセットのテープ幅が前述印字装置３のカセット検出部２４のスイッチ孔２４Ａにより検出される。また、検出された印字装置３の複数のテープ幅の信号が、ケーブルＫを介して、印字装置３から編集装置２に転送される。受信されたテープ幅は、編集装置２の不図示のＲＡＭに記憶される。その後、Ｓ３３に移行する。
【００８２】
Ｓ３３では、選択された全てのラベルイメージの印字幅が印字装置のテープ幅と合致するか否かが判断される。具体的には、編集装置２の不図示のＣＰＵにより、Ｓ３１で検出されたラベルイメージの印字幅が、全てのラベルイメージについてＳ３２で検出された複数のテープ幅のどれかと合致するか否かが判断される。ラベルイメージの印字幅が印字装置のテープ幅と合致すると判断された場合（Ｓ３３：ＹＥＳ）はＳ３５に移行する。また、ラベルイメージの印字幅が印字装置のテープ幅と合致しないと判断された場合（Ｓ３３：ＮＯ）は、Ｓ３４に移行し、「印字できない」旨の表示がエディタ表示画面１１Ｂに表示される。その後、メイン処理に戻る。
【００８３】
また、Ｓ３５に移行すると、複数のラベルイメージがあるか否かが判断される。具体的には、エディタ表示画面１１Ｂに表示されるラベルイメージが複数あるか否かが判断される。エディタ表示画面１１Ｂに表示されるラベルイメージが複数あると判断された場合（Ｓ３５：ＹＥＳ）はＳ３６に移行する。また、エディタ表示画面１１Ｂに表示されるラベルイメージが複数ないと判断された場合（Ｓ３５：ＮＯ）は、Ｓ３８に移行し、印字データの作成と送信が行われる。
【００８４】
Ｓ３６では、ラベルイメージの印字順を設定する。図６に示すように、複数のラベルイメージを印字する際、ラベルイメージの印字順はラベルイメージの印字幅順によって設定される。すなわち、ラベルイメージの印字幅に対応するテープ幅の大きいものから先に印字される。
【００８５】
また、Ｓ３６において、同一の印字幅を有するラベルイメージがある場合、ラベルイメージの印字の印字順はラベルイメージの印字長さ順によって設定される。すなわち、同一の印字幅を有するラベルイメージがあるとき、ラベルイメージの印字長さの大きいものから先に印字される。その後、Ｓ３７に移行する。
【００８６】
Ｓ３７では、先頭のラベルイメージを指定する。具体的には、Ｓ３６で決められたラベルイメージの印字順において、先頭のラベルイメージを指定する。すなわち、複数のラベルイメージの印字幅がある場合には、一番大きいラベルイメージの印字幅を有するラベルイメージを指定する。また、同一の印字幅のラベルイメージが複数あるとき、同一の印字幅のラベルイメージの中で印字長さの一番長いラベルイメージが先頭のラベルイメージとして指定される。その後、Ｓ３８に移行する。
【００８７】
Ｓ３８では、印字データの作成と送信が行われる。具体的には、編集装置２において、送信用の印字データの作成が行われる。また、作成された印字データは、編集装置２から、ケーブルＫを介して印字装置３に送信される。その後、Ｓ３９に移行する。
【００８８】
Ｓ３９では、全ての印字が終了したか否かが判断される。ここでは、エディタ表示画面１１Ｂに選択されるラベルイメージが全て印字終了したか否かが判断される。ラベルイメージが全て印字終了したと判断された場合（Ｓ３９：ＹＥＳ）はメイン処理に戻る。また、エディタ表示画面１１Ｂに選択されるラベルイメージが全て印字終了していないと判断された場合（Ｓ３９：ＮＯ）は、Ｓ４０に移行し、次のラベルイメージを指定する。その後、Ｓ３８に移行して再びＳ３８以降の処理を繰り返す。
本実施形態においては、図５に示すように、３６ｍｍ幅のラベルイメージ１１Ｐ、２４ｍｍ幅のラベルイメージ１１Ｒ、１２ｍｍ幅のラベルイメージ１１Ｓ、９ｍｍ幅のラベル１１Ｔが選択状態にある。この状態において、印字ボタン１１Ｌがマウス２５にてクリックされた場合、印字装置３には、３６ｍｍ、１２ｍｍ、９ｍｍ幅のテープカセットしか装着されていないため、図６に示すように、３６ｍｍ幅のラベルイメージ１１Ｐ、１２ｍｍ幅のラベルイメージ１１Ｓ、９ｍｍ幅のラベル１１Ｔがこの順で印字される。一方、２４ｍｍ幅のラベルイメージ１１Ｒは印字されない。
【００８９】
次に、上記Ｓ１４の全印字処理について図１０に基づき説明する。
【００９０】
上記Ｓ１４の全印字処理では、図１０に示すように、まず、Ｓ５０において、ラベルイメージがあるか否かが判断される。ラベルイメージがあると判断された場合（Ｓ５０：ＹＥＳ）はＳ５１に移行し、また、ラベルイメージがないと判断された場合（Ｓ５０：ＮＯ）は、メイン処理に戻る。
【００９１】
Ｓ５０でラベルイメージがあると判断されたとき、Ｓ５１に移行すると、全てのラベルイメージの印字幅の検出が行われる。具体的には、エディタ表示画面１１Ｂにおいて、全てのラベルイメージの印字幅が編集装置２のＣＰＵによって不図示のＲＡＭに記憶された編集データの中から選択されたラベルイメージの印字幅が読み出される。その後、Ｓ５２に移行する。
【００９２】
また、Ｓ５２に移行すると、印字装置３におけるテープ幅の検出が行われる。編集装置２と接続される印字装置３から印字装置３に装着されているテープカセットの種類を検出することによりテープ幅を取得する。具体的な検出過程は図９のフローチャートに示すＳ３２と同じであるため、詳細な説明を省略する。その後、Ｓ５３に移行する。
【００９３】
Ｓ５３では、全てのラベルイメージの印字幅が印字装置３のテープ幅と合致するか否かが判断される。具体的には、編集装置２のＣＰＵにより、Ｓ５１で検出された全てのラベルイメージに対しラベルイメージの印字幅がＳ５２で検出された複数のテープ幅のいずれかと合致するか否かが判断される。ラベルイメージの印字幅が印字装置３のテープ幅と合致すると判断された場合（Ｓ５３：ＹＥＳ）はＳ５５に移行する。また、全てのラベルイメージの印字幅が印字装置３のテープ幅と合致しないと判断された場合（Ｓ５３：ＮＯ）は、Ｓ５４に移行し、「印字できない」旨の表示をエディタ表示画面１１Ｂに表示する。その後、メイン処理に戻る。
【００９４】
また、Ｓ５５に移行すると、複数のラベルイメージがあるか否かが判断される。具体的には、エディタ表示画面１１Ｂに表示されるラベルイメージが複数あるか否かが判断される。エディタ表示画面１１Ｂに表示されるラベルイメージが複数あると判断された場合（Ｓ５５：ＹＥＳ）はＳ５６に移行する。また、エディタ表示画面１１Ｂに表示されるラベルイメージが複数ないと判断された場合（Ｓ５５：ＮＯ）は、Ｓ５８に移行し、印字データの作成と送信が行われる。
【００９５】
Ｓ５６では、ラベルイメージの印字順を設定する。図６に示すように、複数のラベルイメージを印字する際、ラベルイメージの印字順はラベルイメージの印字幅順によって設定される。すなわち、ラベルイメージの印字幅に対応するテープ幅の大きいものから先に印字される。
【００９６】
また、Ｓ５６において、同一の印字幅を有するラベルイメージがある場合、ラベルイメージの印字の印字順はラベルイメージの印字長さ順によって設定される。すなわち、同一の印字幅を有するラベルイメージがあるとき、ラベルイメージの印字長さの大きいものから先に印字される。その後、Ｓ５７に移行する。
【００９７】
Ｓ５７では、先頭のラベルイメージを指定する。具体的には、Ｓ５６で決められたラベルイメージの印字順において、先頭のラベルイメージを指定する。すなわち、複数のラベルイメージの印字幅がある場合には、一番大きいラベルイメージの印字幅を有するラベルイメージを指定する。また、同一の印字幅のラベルイメージが複数あるとき、同一の印字幅のラベルイメージの中で印字長さの一番長いラベルイメージが先頭のラベルイメージとして指定される。その後、Ｓ５８に移行する。
【００９８】
Ｓ５８では、印字データの作成と送信が行われる。具体的には、編集装置２において、印字データの作成が行われる。また、作成された印字データは、編集装置２から、ケーブルＫを介して印字装置３に送信される。その後、Ｓ５９に移行する。
【００９９】
Ｓ５９では、全ての印字が終了したか否かが判断される。ここでは、エディタ表示画面１１Ｂに選択されるラベルイメージが全て印字終了したか否かが判断される。ラベルイメージが全て印字終了したと判断された場合（Ｓ５９：ＹＥＳ）はメイン処理に戻る。また、エディタ表示画面１１Ｂに選択されるラベルイメージが全て印字終了していないと判断された場合（Ｓ５９：ＮＯ）は、Ｓ６０に移行し、次のラベルイメージを指定する。その後、Ｓ５８に移行して再びＳ５８以降の処理を繰り返す。
本実施形態においては、図５に示す状態において、全印字ボタン１１Ｋがマウス２５にてクリックされた場合、印字ボタン１１Ｌがクリックされたときと同様に、図６に示すように、３６ｍｍ幅のラベルイメージ１１Ｐ、１２ｍｍ幅のラベルイメージ１１Ｓ、９ｍｍ幅のラベル１１Ｔがこの順で印字される。一方、１８ｍｍ幅のラベルイメージ１１Ｑ、２４ｍｍ幅のラベルイメージ１１Ｒは印字されない。
【０１００】
次に、印字データを受信した際における印字装置３の動作について簡単に説明する。
編集装置２の表示画面１１Ａにおいて、選択されたラベルイメージが存在し、このラベルイメージの印字データが印字装置３に送信さたれ場合、印字装置３では、そのＣＰＵを介して、受信された印字データに含有される印字幅データと合致するテープ幅を有するテープカセットが指定され、そのテープカセットが配置されたカセット配置部にて、印字データに従い文字等がテープに印字され、切断される。これにより、ラベル３８が作成される。
【０１０１】
また、選択されたラベルイメージが複数存在し、これらの印字データが印字装置３に送信された場合、印字装置３では、そのＣＰＵを介して、受信された印字データの順で印字データに含有される印字幅データと合致するテープ幅を有するテープカセットが指定され、そのテープカセットが配置されたカセット配置部にて、印字データに従い文字等がテープに印字され、切断される。これにより、テープ幅が異なる複数のラベル３８が、そのテープ幅の大きい順に作成される。
【０１０２】
更に、印字装置３にて受信された複数の印字データ中に同一の印字幅データを含有する印字データが存在する場合、印字幅データが異なる印字データについては、前記と同様、そのＣＰＵを介して、受信された印字データの順で印字データに含有される印字幅データと合致するテープ幅を有するテープカセットが指定され、そのテープカセットが配置されたカセット配置部にて、印字データに従い文字等がテープに印字され、切断されてラベル３８が作成されるが、同一の印字幅データを含有する印字データについては、印字データ中に含有される印字長さデータに基づき印字長さデータの大きい順に文字等がテープに印字され、切断されてラベル３８が作成される。
【０１０３】
また、受信された印字データ中に、印字装置３の各カセット配置部に配置されているカセットテープに収納されたテープのテープ幅と一致しない印字幅データを含有する印字データが存在する場合には、その一致しない印字データに対しては、ＬＥＤ４を赤色点滅させることにより、「印字できない」旨の表示を行って使用者に報知する。
【０１０４】
以上詳細に説明した通り本実施形態に係るラベル印字システム１では、編集装置２と、それぞれ異なるテープ幅のフィルムテープ１７を内蔵するテープカセット５７乃至５９が複数種類配設された印字装置３とを備えたラベル印字システム１において、編集装置２の表示画面上１１Ａで作成したラベルイメージの印字指令を行うだけで、そのラベルイメージと一致するテープ幅のテープカセット５７乃至５９を自動的に指定するとともに、そのフィルムテープ１７にラベルイメージを印字して、ラベル３８を印字作成することができる。これにより、編集装置２の表示画面１１Ａ上で自由にラベルイメージを作成して印字指令を行うだけで、そのラベルイメージのラベル幅に合致するテープカセット５７乃至５９を自動的に指定してラベル３８の作成を行うことができる。
【０１０５】
また、編集装置２の表示画面１１Ａ上に複数のラベルイメージを表示させつつ、各ラベルイメージに対応してキーボード１２、マウス２５によりラベルのサイズ情報を含む複数ラベルの印字データが作成される。これにより、表示装置１１における同一の表示画面１１Ａ上で複数ラベルの印字データを一度に作成することが可能となる。
【０１０６】
更に、表示装置１１に表示される複数のラベルイメージが選択された場合、各ラベルイメージに対応するラベルのサイズ情報に包含されるテープ幅データに基づき、テープ幅データの大きい順に従って印字データが印字されるようにサーマルヘッド７が制御されるので、ラベル幅の大きいラベル３８からラベル幅の小さいラベル３８の順に作成されて印字装置３の外部に排出されることとなる。
このとき、相互に異なるラベル幅を有する複数のラベル３８が積層状態で排出された場合においても、下側のラベル３８の印字内容が上側のラベルによって完全に覆われてしまうことが防止され、従って、各ラベル３８の印字内容を独立して容易に判別することができる。
【０１０７】
また、複数のラベルイメージが選択され、その選択された複数のラベルイメージに対応するラベルのサイズ情報の内に同一のラベル幅データが２以上存在する場合には、各ラベルイメージに対応するラベルのサイズ情報に包含されるラベル長さデータに基づき、ラベル長さデータの大きい順に従って印字データが印字されるようにサーマルヘッド７が制御されるので、同一ラベル幅を有する２以上のラベル３８については、ラベル長さの大きいラベル３８からラベル長さの小さいラベル３８の順に作成されて印字装置３の外部に排出されることとなる。
このとき、同一ラベル幅を有する２以上のラベル３８が積層状態で排出された場合においても、下側のラベル３８の印字内容が上側のラベル３８によって完全に覆われてしまうことが防止され、従って、各ラベル３８の印字内容を独立して容易に判別することができる。
【０１０８】
更に、各カセット配置部５１乃至５３におけるカッタユニット１４を介して切断されたラベル３８は、排出口1３から印字装置３本体の外部に排出されるとともに、ラベル幅の大きい順に従って排出口１３の下方に設けられたラベル集積部６０に集積されていくので、ラベル集積部６０にて相互に異なるラベル幅を有する複数のラベル３８が積層状態で排出されることとなる。
このとき、相互に異なるラベル幅を有する複数のラベル３８が、ラベル集積部６０にて積層状態で排出された場合においても、下側のラベル３８の印字内容が上側のラベル３８によって完全に覆われてしまうことが防止され、従って、各ラベルの印字内容を独立して容易に判別することができる。
【０１０９】
尚、本発明は前記実施形態に限定されるものではなく、本発明の要旨を逸脱しない範囲内で種々の改良、変形が可能であることは勿論である。
例えば、本実施形態では編集装置２には、３つのテープカセットが装着される印字装置３が接続されているが、印字装置３は、２つ以上のテープカセットが装着されるテープ印字装置であればよい。
また、本実施形態においては、印字装置３における印字方式は熱転写方式を採用しているが、これに限定されることはなく、各種の印字方式を採用することができる。
【図面の簡単な説明】
【０１１０】
【図１】本実施形態に係るラベル印字システムの概略外観斜視図である。
【図２】本実施形態のテープカセットの内部構成を模式的に示す平面図である。
【図３】印字装置における一つのカセット配置部にテープカセットを装着する状態を示す要部拡大斜視図である。
【図４】印字装置においてカセット配置部が複数配置された状態を示す概略構成図である。
【図５】編集装置のエディタ表示画面を示すイメージ図である。
【図６】印字装置の印字順を示す説明図である。
【図７】編集装置におけるメイン処理を示すフローチャートである。
【図８】編集装置におけるラベルイメージ追加処理のフローチャートである。
【図９】編集装置における選択印字処理のフローチャートである。
【図１０】編集装置における全ラベルイメージ印字処理のフローチャートである。
【符号の説明】
【０１１１】
１          ラベル印字システム
２          編集装置
３          印字装置
７          サーマルヘッド
１０        筐体
１１        表示装置
１１Ａ      表示画面
１１Ｋ      全選択ボタン
１１Ｌ      選択ボタン
１２        キーボード
１４        カッタユニット
１７        フィルムテープ
２４        カセット検出部
２４Ａ      スイッチ孔
２５        マウス
３８        ラベル
６０        ラベル集積部
１１Ｐ、１１Ｑ、１１Ｒ、１１Ｓ、１１Ｔ      ラベルイメージ
【図１】
2009190313.tif 000003
【図２】
2009190313.tif 000004
【図３】
2009190313.tif 000005
【図４】
2009190313.tif 000006
【図５】
2009190313.tif 000007
【図６】
2009190313.tif 000008
【図７】
2009190313.tif 000009
【図８】
2009190313.tif 000010
【図９】
2009190313.tif 000011
【図１０】
2009190313.tif 000012